(57)【特許請求の範囲】
【請求項１】
光ファイバの終端を角形のプラグで整列する光ファイバコネクタを接続台に着脱する接続構造であって、
前記プラグの長手方向の幅で案内し、前記プラグを底面に載置する溝をもつ位置決め台と、
前記位置決め台と回転自在に連結し、Ｖ溝をもち、前記溝に載置された前記プラグの上部二稜線が前記Ｖ溝の傾斜面に接触し、前記プラグを磁力で保持する蓋とを備え、
前記溝に保持された前記プラグの出射光が入射する窓の位置にあわせて前記位置決め台を前記接続台に支持することを特徴とする光ファイバコネクタの接続構造。
【請求項２】
前記光ファイバコネクタは、多心光ファイバコネクタであることを特徴とする請求項１記載の光ファイバコネクタの接続構造。
【発明の詳細な説明】
【０００１】
【発明の属する技術分野】
この発明は、多心光ファイバコネクタの接続器についてのものである。特に、JIS C 5981で規定されるＦ１２形多心光ファイバコネクタの接続器についてものてある。
【０００２】
【従来の技術】
周知のように、Ｆ１２形多心光ファイバコネクタ（以下、光コネクタという。）は、二つのプラグをクランプスプリングで押圧して結合する。ところで、光コネクタの挿入損失を測定する場合などでは、光パワーメータ側に接続する第１のプラグと、光源側に接続する第２のプラグをクランプスプリングで着脱するのは容易ではない。
【０００３】
特に、多量の光コネクタを検査する場合には、クランプスプリングで着脱するのは能率がよくない。したがって、光コネクタの光学特性試験用に、クランプスプリングに代わる接続器が開発されている。
【０００４】
次に、従来技術による光コネクタの接続構造の構成を図４と図５により説明する。図４は光コネクタを保持ブロックに接続する状態を説明する図である。図４の１は光コネクタ、１１と１２は挟持ブロック、１３は保持ブロックである。
【０００５】
図４において、挟持ブロック１１と挟持ブロック１２は開閉可能に連結しており、挟持ブロック１１・１２が閉じることにより光コネクタ１を保持する。
【０００６】
挟持ブロック１１・１２の一端はそれぞれ半円筒部１１Ａ・１２Ａを形成する。挟持ブロック１１・１２が閉じると、半円筒部１１Ａ・１２Ａは管部１３Ａに入る円筒部となる。なお、前記円筒部を管部１３Ａの弾性力で保持するため、管部１３Ａにはスリット１３Ｂが形成されている。
【０００７】
管部１３Ａの延長側には、光コネクタ１の出射光が入射される穴が形成され、前記穴を介して、保持ブロック１３の奥にある受光部に光コネクタ１の出射光が入射される。
【０００８】
図５は、図４の挟持ブロック１１・１２を開いた状態図である。図５に示されるように、半円筒部１１Ａ・１２Ａの内壁には、それぞれ、プラグ１Ｂを実装する段差１１Ｂ・１２Ｂを形成する。また、挟持ブロック１１・１２の内壁には、それぞれ、光ファイバ１Ａを実装する溝１１Ｃ・１２Ｃを形成する。
【０００９】
挟持ブロック１１・１２の内壁には、極性の異なる磁性体１１Ｄ・１２Ｄが埋設され、磁性体１１Ｄ・１２Ｄの磁力で光コネクタ１を保持する。挟持ブロック１１・１２は蝶番１４で連結する。
【００１０】
次に、従来技術による光コネクタの接続器の作用を図６により説明する。図６は、図４のおける挟持ブロック１１・１２と保持ブロック１３が結合した状態での断面図である。
【００１１】
図６では、挟持ブロック１１・１２で光コネクタ１を保持して、保持ブロック１３の管部１３Ａに結合している。図６に示されるように、半円筒部１１Ａ・１２Ａの端面とプラグ１Ｂの端面は一致している。プラグ１Ｂの端面は管部１３Ａの底面に接している。管部１３Ａの底面には、光コネクタ１の出射光２１が通過する窓１３Ｃが形成される。窓１３Ｃの対向側には、図示されない受光素子が配置されている。光コネクタ１の出射光２１の光学特性は、前記受光素子で試験される。すなわち、窓１３Ｃが形成されている保持ブロック１３は、図示されない受光素子が配置されている装置に設けられており、保持ブロック１３に設けられている管部１３Ａに光コネクタ１を保持した挟持ブロック１１・１２を結合することにより、光コネクタ１の出射光２１の光学特性を、窓１３Ｃに対向して配置された受光素子で試験する。
【００１２】
【発明が解決しようとする課題】
図４の接続器は、まず、光コネクタ１を挟持ブロック１１・１２内に実装し、次に、挟持ブロック１１・１２を保持ブロック１３に挿入するという２段階の手順で試験するので作業効率が良くないという問題がある。
【００１３】
また、挟持ブロック１１・１２の自重を、保持ブロック１３の管部１３Ａで支持しているので、結合状態が不安定であるという問題もある。
【００１４】
この発明は、着脱簡易であり、結合状態が確実な多心光ファイバコネクタの接続器の提供を目的とする。
【００１５】
【課題を解決するための手段】
この目的を達成するため、請求項１に記載の発明は、光ファイバの終端を角形のプラグで整列する光ファイバコネクタを接続台に着脱する接続構造であって、前記プラグの長手方向の幅で案内し、前記プラグを底面に載置する溝をもつ位置決め台と、前記位置決め台と回転自在に連結し、Ｖ溝をもち、前記溝に載置された前記プラグの上部二稜線が前記Ｖ溝の傾斜面に接触し、前記プラグを磁力で保持する蓋とを備え、前記溝に保持された前記プラグの出射光が入射する窓の位置にあわせて前記位置決め台を前記接続台に支持する。請求項２に記載の発明は、請求項１に記載の発明において、前記光ファイバコネクタは、多心光ファイバコネクタであることを特徴とする。
【００１６】
【発明の実施の形態】
以下、図面を参照して、この発明の一実施の形態を説明する。図１は、この発明による光コネクタの接続器の一実施の形態を示す構成図である。なお、従前に使用した同符号の構成品の説明は省略する。
【００１７】
図１の２は位置決め台、３は蓋、４は接続台である。図１では、位置決め台２は溝２Ａを形成する。溝２Ａはプラグ１Ｂの長手方向の幅で案内し、溝２Ａの底面にプラグ１Ｂの下面が当接する形で、プラグ１Ｂが載置される。
【００１８】
蓋３は位置決め台２と回転自在に連結する。あるいは、蓋３は、開閉する形で位置決め台２と連結するといえる。蓋３はＶ溝３Ａを形成する。蓋３を閉じると、溝２Ａに載置されたプラグ１Ｂの上部二稜線がＶ溝３Ａの傾斜面３１に接触する。
【００１９】
位置決め台２に磁性体２Ｂを埋設し、蓋３を被磁性体で形成する。プラグ１Ｂを溝２Ａに載置し、蓋３を閉じれば、蓋３は磁力でプラグ１Ｂを保持する。
【００２０】
接続台４は、位置決め台２を支持する。また、接続台４は溝２Ａに保持されたプラグ１Ｂの出射光が入射する窓４Ａをもつ。
【００２１】
図２は、蓋３が閉じて、光コネクタ１のプラグ１Ｂを保持している状態図である。図２の状態から、蓋３と磁力による吸着力より強い力で、蓋３の突出部３Ｂを持ち上げれば、図１の状態になる。
【００２２】
次に、この発明による光コネクタの接続器の作用を図３により説明する。図３は、図２における蓋３が閉じて、プラグ１Ｂを保持した状態での断面図である。
【００２３】
この発明では、まず、プラグ１Ｂを溝２Ａに入れ、プラグ１Ｂを接続台４の窓４Ａの形成面に当接した状態で、蓋３を閉じると、磁力によりプラグ１Ｂが保持できる。次に、光コネクタ１の出射光２１の光学特性を、窓４Ａに対向して配置された受光素子で試験する。すなわち、窓４Ａが形成されている接続台４は、図示されない受光素子が配置されている装置に設けられており、接続台４に保持された位置決め台２の溝２Ａと蓋３に設けられたＶ溝３Ａで光コネクタ１のプラグ１Ｂを保持することにより、光コネクタ１の出射光２１の光学特性を、窓４Ａに対向して配置された受光素子で試験する。
【００２４】
このように、この発明の接続構造によれば、着脱簡易であり、しかも、従来のように挟持ブロックの自重が結合部に作用しないので、結合状態が確実となる。
【００２５】
【発明の効果】
この発明は、光コネクタのプラグを位置決め台の溝に入れ、前記プラグを蓋に形成されたＶ溝で当接してプラグを保持するので、光ファイバコネクタの着脱が簡易であり、プラグの寸法に多少のばらつきがあっても、接続に支障無く、このばらつきを吸収して固定することができ、結合状態が確実となる。また、位置決め台の蓋に当接する部分に磁性体を設けることにより、さらに結合状態を確実にすることができる。
【図面の簡単な説明】
【図１】  この発明による光コネクタの接続構造の一実施の形態を示す構成図である。
【図２】  図１の蓋３が閉じた状態図である。
【図３】  図２の断面図である。
【図４】  従来技術による光コネクタを保持ブロックに接続する状態を説明する図である。
【図５】  図４の挟持ブロック１１・１２を開いた状態図である。
【図６】  図４の断面図である。
【符号の説明】
１    光ファイバコネクタ
１Ａ  光ファイバ
１Ｂ  プラグ
２    位置決め台
２Ａ  溝
３    蓋
３Ａ  Ｖ溝
３１  傾斜面
４    接続台
４Ａ  窓
【図１】
0003774927.tif 000002
【図２】
0003774927.tif 000003
【図３】
0003774927.tif 000004
【図４】
0003774927.tif 000005
【図５】
0003774927.tif 000006
【図６】
0003774927.tif 000007